(57)【特許請求の範囲】
【請求項１】
自己の温度センサで検知する第１室温値と自己に設定された設定温度とに基づき接点を変化させる空調インターフェース（３０ａ−３０ｃ）に接続され、空調機（１０，２０ａ−２０ｃ）と前記空調インターフェースとを仲介する空調制御のための仲介装置（４０ａ―４０ｃ，４００ａ−４００ｃ）であって、
前記接点の変化を検出する検出部（４４ａ，４０４ａ）と、
前記空調機を構成する室内機で検知される第２室温値に関する情報を取得する第２室温値取得部（４４ｄ）と、
前記空調機を最大負荷で制御する際の温度値である第１限界値を記憶する限界値記憶領域（４２ｃ，４０２ｃ）と、
前記空調機を動作させるための空調目標温度値を、前記第２室温値または前記第１限界値に基づいて決定する空調目標温度値決定部（４４ｅ，４０４ｅ）と、
前記空調目標温度値を前記空調機に送信する送信部（４４ｇ，４０４ｇ）と、
前記送信部によって前記空調機に送られた前記空調目標温度値であって前記第２室温値に基づいて決定された前記空調目標温度値である第１値を記憶する第１値記憶領域（４２ｂ，４０２ｂ）と、
前記検出部によって前記接点の変化が検出された後の所定時間を計測するタイマー部（４３）と、
前記空調機が動作しているか否かに関する情報である運転状況を把握する運転状況把握部（４４ｂ）と、
を備え、
前記空調目標温度値決定部は、
前記所定時間のうちに新たな接点の変化が検出された場合には、前記第２室温値に基づいて前記空調目標温度値を決定し、
前記所定時間のうちに前記新たな接点の変化が検出されなかった場合には、前記接点の状態および前記空調機の運転状況に基づいて、前記第１限界値を前記空調目標温度値として決定し、
さらに、前記第１限界値を前記空調目標温度値として決定した後、前記検出部によって前記接点の変化が検出された場合に、前記第１値記憶領域に記憶された前記第１値を、前記空調目標温度値として決定する、
仲介装置。
【請求項２】
前記所定時間のうちに前記新たな接点の変化が検出されなかった場合に、前記空調機の運転状況と前記接点の状態とが一致するか否かを判断する判断部（４４）をさらに備え、
前記空調目標温度値決定部は、
前記空調機の運転状況と前記接点の状態とが一致する場合には、前記空調機の運転状況と前記接点の状態とが一致しなくなるまで待機し、
前記空調機の運転状況と前記接点の状態とが一致しない場合には、前記空調機が動作していない状況である前記運転状況のとき、前記第１限界値を前記空調目標温度値として決定する、
請求項１に記載の仲介装置。
【請求項３】
前記送信部は、前記空調機の運転状況と前記接点の状態とが一致しない場合であって、前記空調機が動作している状況である前記運転状況のとき、空調停止の指令を前記空調機に送信する、
請求項２に記載の仲介装置。
【請求項４】
前記限界値記憶領域は、前記空調機を最小負荷で制御する際の温度値である第２限界値をさらに記憶し、
前記送信部は、前記空調機の運転状況と前記接点の状態とが一致しない場合であって、前記空調機が動作している状況である前記運転状況のとき、前記第２限界値を前記空調機に送信する、
請求項２に記載の仲介装置。
【請求項５】
請求項１記載の仲介装置（４０ａ−４０ｃ，４００ａ―４００ｃ）と、
前記仲介装置によって空調機との接続が仲介される前記空調インターフェース（３０ａ−３０ｃ）と、
前記仲介装置から送信される前記空調目標温度値に基づき空調制御を行う前記空調機（１０，２０ａ−２０ｃ）と、
を備える空調制御システム。
【請求項６】
自己の温度センサで検知する第１室温値と自己に設定された設定温度とに基づき接点を変化させる空調インターフェース（３０ａ―３０ｃ）を利用して空調機（１０，２０ａ−２０ｃ）を制御するための空調制御方法であって、
前記接点の変化を検出する検出ステップと、
前記空調機を構成する室内機で検知される第２室温値に関する情報を取得する取得ステップと、
前記空調機を最大負荷で制御する際の温度値である第１限界値を記憶する第１限界値記憶ステップと、
前記空調機を動作させるための空調目標温度値を、前記第２室温値または前記第１限界値に基づいて決定する決定ステップと、
前記空調目標温度値を前記空調機に送信する送信ステップと、
前記送信ステップによって前記空調機に送られた前記空調目標温度値であって前記第２室温値に基づいて決定された前記空調目標温度値である第１値を記憶する第１値記憶ステップと、
前記検出ステップにおいて前記接点の変化が検出された後の所定時間を計測する計測ステップと、
前記空調機が動作しているか否かに関する情報である運転状況を把握する運転状況把握ステップと、
を備え、
前記決定ステップでは、
前記所定時間のうちに新たな接点の変化が検出された場合には、前記第２室温値に基づいて前記空調目標温度値を決定し、
前記所定時間のうちに前記新たな接点の変化が検出されなかった場合には、前記接点の状態および前記空調機の運転状況に基づいて、前記第１限界値を前記空調目標温度値として決定し、
さらに、前記第１限界値を前記空調目標温度値として決定した後、前記検出ステップによって前記接点の変化が検出された場合に、前記第１値記憶ステップで記憶された前記第１値を、前記空調目標温度値として決定する、
空調制御方法。
【請求項７】
自己の温度センサで検知する第１室温値と自己に設定された設定温度とに基づき接点を変化させる空調インターフェース（３０ａ―３０ｃ）を利用して空調機（１０，２０ａ−２０ｃ）を制御するためにコンピュータに実行させる空調制御プログラムであって、
前記接点の変化を検出する検出ステップと、
前記空調機を構成する室内機で検知される第２室温値に関する情報を取得する取得ステップと、
前記空調機を最大負荷で制御する際の温度値である第１限界値を記憶する第１限界値記憶ステップと、
前記空調機を動作させるための空調目標温度値を、前記第２室温値または前記第１限界値に基づいて決定する決定ステップと、
前記空調目標温度値を前記空調機に送信する送信ステップと、
前記送信ステップによって前記空調機に送られた前記空調目標温度値であって前記第２室温値に基づいて決定された前記空調目標温度値である第１値を記憶する第１値記憶ステップと、
前記検出ステップにおいて前記接点の変化が検出された後の所定時間を計測する計測ステップと、
前記空調機が動作しているか否かに関する情報である運転状況を把握する運転状況把握ステップと、
を備え、
前記決定ステップでは、
前記所定時間のうちに新たな接点の変化が検出された場合には、前記第２室温値に基づいて前記空調目標温度値を決定し、
前記所定時間のうちに前記新たな接点の変化が検出されなかった場合には、前記接点の状態および前記空調機の運転状況に基づいて、前記第１限界値を前記空調目標温度値として決定し、
さらに、前記第１限界値を前記空調目標温度値として決定した後、前記検出ステップによって前記接点の変化が検出された場合に、前記第１値記憶ステップで記憶された前記第１値を、前記空調目標温度値として決定する、
空調制御プログラム。
【発明の詳細な説明】
【技術分野】
【０００１】
本発明は、空調制御の仲介装置、空調制御システム、空調制御方法および空調制御プログラムに関する。
【背景技術】
【０００２】
従来、特に米国の住宅またはオフィスビル等では、汎用のサーモスタットを空調機のマンマシンインターフェース（コントローラ）として利用することがデファクトスタンダードとなっており、当該汎用のサーモスタットを用いて、空調機とともに他の暖房用機器やファンを制御し、快適な空調環境を効率よく実現している（例えば、特許文献１）。また、米国の空調システムにおいては、空調機として、熱源となる圧縮機をオン・オフ制御するものが多く用いられており、汎用のサーモスタットは、入力された設定温度と室温値とを比較して、接点のオン・オフ制御を行うことで当該空調機を動作させる。
【０００３】
一方、最近では、圧縮機をきめ細かくインバータ制御する空調機も登場してきている。そのような空調機は、制御を行う際に設定温度値が必要となるため、設定温度値を出力できない汎用のサーモスタットではなく空調機専用のインターフェースを用意して、利用者がその専用インターフェースを用いて設定温度の入力をするように促している。
【特許文献１】特表平８−５０５４８５号
【発明の開示】
【発明が解決しようとする課題】
【０００４】
しかし、従来の空調システムにインバータ制御を行う最新の空調機を組み込んだ場合、汎用のサーモスタットに加えて空調機専用のインターフェースを使わなければならなくなり、利用者にとって煩雑である。また、従来の空調システムにインバータ制御を行う最新の空調機のみを導入した場合であっても、利用者は、従来から使い慣れている汎用のサーモスタットではなく、最新の空調機専用のインターフェースの操作方法を習得し、利用しなければならない。
【０００５】
そこで、本発明の課題は、快適な空調環境の実現を効率よく行うため、既存の汎用のサーモスタットを用いて新たに導入したインバータ制御の空調機を利用可能とする環境を提供することにある。
【課題を解決するための手段】
【０００６】
第１発明に係る仲介装置は、空調インターフェースに接続され、空調機と空調インターフェースとを仲介する空調制御のための仲介装置であって、検出部と、第２室温値取得部と、限界値記憶領域と、空調目標温度値決定部と、送信部と、第１値記憶領域と、タイマー部と、運転状況把握部とを備える。空調インターフェースは、自己の温度センサで検知する第１室温値と自己に設定された設定温度とに基づき接点を変化させる。検出部は、接点の変化を検出する。第２室温値取得部は、空調機を構成する室内機で検知される第２室温値に関する情報を取得する。限界値記憶領域は、空調機を最大負荷で制御する際の温度値である第１限界値を記憶する。空調目標温度値決定部は、空調機を動作させるための空調目標温度値を、第２室温値または第１限界値に基づいて決定する。送信部は、空調目標温度値を空調機に送信する。第１値記憶領域は、送信部によって空調機に送られた空調目標温度値であって第２室温値に基づいて決定された空調目標温度値である第１値を記憶する。タイマー部は、検出部によって接点の変化が検出された後の所定時間を計測する。運転状況把握部は、空調機が動作しているか否かに関する情報である運転状況を把握する。また、空調目標温度値決定部は、所定時間のうちに新たな接点の変化が検出された場合には、第２室温値に基づいて空調目標温度値を決定する。所定時間のうちに前記新たな接点の変化が検出されなかった場合には、接点の状態および空調機の運転状況に基づいて、第１限界値を空調目標温度値として決定し、さらに、第１限界値を空調目標温度値として決定した後、検出部によって接点の変化が検出された場合に、第１値記憶領域に記憶された第１値を、空調目標温度値として決定する。
【０００７】
これにより、既存の空調インターフェースを用いて運転に設定温度値を必要とする空調機を動作させることができる。また、空調機には適当な空調目標温度値が適宜選択されて送信されるため、空調機に適当な空調目標温度値に基づく制御を行うわせることができる。さらに、第２室温値を検知する温度センサ周辺の空気の温度が大きく変動している間は第２室温値を採用せず、好ましい条件下で検知した第２室温値に基づく空調目標温度値を空調機に実行させることができる。また、オーバーシュートの影響を受けない空調目標温度値を空調機に送信することができる。さらに、より適当な室内環境下で検知された第２室温値に基づいた空調目標温度値を空調機に送信することができる。
【０００８】
第２発明に係る仲介装置は、第１発明に係る仲介装置であって、判断部をさらに備える。判断部は、所定時間のうちに新たな接点の変化が検出されなかった場合に、空調機の運転状況と接点の状態とが一致するか否かを判断する。また、空調目標温度値決定部は、空調機の運転状況と接点の状態とが一致する場合には、空調機の運転状況と接点の状態とが一致しなくなるまで待機し、空調機の運転状況と接点の状態とが一致しない場合には、空調機が動作していない状況である運転状況のとき、第１限界値を空調目標温度値として決定する。
【０００９】
第３発明に係る仲介装置は、第２発明に係る仲介装置であって、送信部は、空調機の運転状況と接点の状態とが一致しない場合であって、空調機が動作している状況である運転状況のとき、空調停止の指令を空調機に送信する。
【００１０】
第４発明に係る仲介装置は、第２発明に係る仲介装置であって、限界値記憶領域は、空調機を最小負荷で制御する際の温度値である第２限界値をさらに記憶する。また、送信部は、空調機の運転状況と接点の状態とが一致しない場合であって、空調機が動作している状況である運転状況のとき、第２限界値を空調機に送信する。
【００１１】
第５発明に係る空調制御システムは、第１発明に係る仲介装置と、空調インターフェースと、空調機とを備える。空調インターフェースは仲介装置によって空調機との接続が仲介される。空調機は、仲介装置から送信される空調目標温度値に基づき空調制御を行う。
【００１２】
本発明に係る空調制御システムでは、検出部が検出する接点の変化と、温度情報とに基づいて、空調目標温度値が決定され、空調目標温度値に基づいて空調機が制御される。
【００１３】
これにより、既存の空調インターフェースを用いて運転に設定温度値を必要とする空調機を動作させることができる。
【００１４】
第６発明に係る空調制御方法は、空調インターフェースを利用して空調機を制御するための空調制御方法であって、検出ステップと、取得ステップと、第１限界値記憶ステップと、決定ステップと、送信ステップと、第１値記憶ステップと、計測ステップと、運転状況把握ステップと、を備える。空調インターフェースは、自己の温度センサで検知する第１室温値と自己に設定された設定温度とに基づき接点を変化させる。検出ステップは、接点の変化を検出する。取得ステップは、空調機を構成する室内機で検知される第２室温値に関する情報を取得する。第１限界値記憶ステップは、空調機を最大負荷で制御する際の温度値である第１限界値を記憶する。決定ステップは、空調機を動作させるための空調目標温度値を、第２室温値または第１限界値に基づいて決定する。送信ステップは、空調目標温度値を空調機に送信する。第１値記憶ステップは、送信ステップによって空調機に送られた空調目標温度値であって第２室温値に基づいて決定された空調目標温度値である第１値を記憶する。計測ステップは、検出ステップにおいて接点の変化が検出された後の所定時間を計測する。運転状況把握ステップは、空調機が動作しているか否かに関する情報である運転状況を把握する。また、決定ステップでは、所定時間のうちに新たな接点の変化が検出された場合には、第２室温値に基づいて空調目標温度値を決定する。所定時間のうちに新たな接点の変化が検出されなかった場合には、接点の状態および空調機の運転状況に基づいて、第１限界値を空調目標温度値として決定する。さらに、第１限界値を空調目標温度値として決定した後、検出ステップによって接点の変化が検出された場合に、第１値記憶ステップで記憶された第１値を、空調目標温度値として決定する。
【００１５】
これにより、既存の空調インターフェースを用いて運転に設定温度値を必要とする空調機を動作させることができる。
【００１６】
第７発明に係る空調制御プログラムは、空調インターフェースを利用して空調機を制御するためコンピュータに実行させる空調制御プログラムであって、検出ステップと、取得ステップと、第１限界値記憶ステップと、決定ステップと、送信ステップと、第１値記憶ステップと、計測ステップと、運転状況把握ステップと、を備える。空調インターフェースは、自己の温度センサで検知する第１室温値と自己に設定された設定温度とに基づき接点を変化させる。検出ステップは、接点の変化を検出する。取得ステップは、空調機を構成する室内機で検知される第２室温値に関する情報を取得する。第１限界値記憶ステップは、空調機を最大負荷で制御する際の温度値である第１限界値を記憶する。決定ステップは、空調機を動作させるための空調目標温度値を、第２室温値または第１限界値に基づいて決定する。送信ステップは、空調目標温度値を空調機に送信する。第１値記憶ステップは、送信ステップによって空調機に送られた空調目標温度値であって第２室温値に基づいて決定された空調目標温度値である第１値を記憶する。計測ステップは、検出ステップにおいて接点の変化が検出された後の所定時間を計測する。運転状況把握ステップは、空調機が動作しているか否かに関する情報である運転状況を把握する。また、決定ステップでは、所定時間のうちに新たな接点の変化が検出された場合には、第２室温値に基づいて空調目標温度値を決定する。所定時間のうちに新たな接点の変化が検出されなかった場合には、接点の状態および空調機の運転状況に基づいて、第１限界値を空調目標温度値として決定する。さらに、第１限界値を空調目標温度値として決定した後、検出ステップによって接点の変化が検出された場合に、第１値記憶ステップで記憶された第１値を、空調目標温度値として決定する。
【００１７】
これにより、既存の空調インターフェースを用いて運転に設定温度値を必要とする空調機を動作させることができる。
【発明の効果】
【００１８】
本発明に係る仲介装置では既存の空調インターフェースを用いて運転に設定温度値を必要とする空調機を動作させることができる。また、空調機に適当な空調目標温度値に基づく制御を行うわせることができる。また、好ましい条件下で検知した第２室温値に基づく空調目標温度値を空調機に実行させることができる。また、オーバーシュートの影響を受けない空調目標温度値を空調機に送信することができる。さらに、より適当な室内環境下で検知された第２室温値に基づいた空調目標温度値を空調機に送信することができる。
【００１９】
本発明に係る空調制御システムでは、既存の空調インターフェースを用いて運転に設定温度値を必要とする空調機を動作させることができる。
【００２０】
本発明に係る空調制御方法では、既存の空調インターフェースを用いて運転に設定温度値を必要とする空調機を動作させることができる。
【００２１】
本発明に係る空調制御プログラムでは、既存の空調インターフェースを用いて、運転に設定温度値を必要とする空調機を制御することができる。
【発明を実施するための最良の形態】
【００２２】
≪第１実施形態≫
＜空調システムの全体構成＞
図１は、本発明の実施形態に係る空調システム１の構成を示す。この空調システム１は、例えば、住宅またはオフィスビル等の建物（物件）で用いられる空調システムであり、主として、室外機１０および室内機２０ａ−２０ｃからなる空調機と、空調制御のためのインターフェースとして用いる汎用のサーモスタット３０ａ−３０ｃと、仲介装置４０ａ−４０ｃと、から構成されている。
【００２３】
室外機１０と室内機２０ａ―２０ｃとは冷媒路８８および通信線８１を介して接続されている。また、室内機２０ａ−２０ｃは、仲介装置４０ａ−４０ｃと通信線８２を介して通信可能に接続されている。２種類の通信線８１および８２は、同一種類の通信線であっても、異なる種類の通信線であってもよい。さらに、仲介装置４０ａ−４０ｃは、サーモスタット３０ａ−３０ｃと制御線８３で接続されている。詳細には、図１に示すように、各室内機２０ａ―２０ｃに、仲介装置４０ａ−４０ｃおよびサーモスタット３０ａ−３０ｃが一対一で接続されている。本実施形態では、サーモスタット３０ａ−３０ｃは、仲介装置４０ａ−４０ｃを介して、それぞれに接続される室内機２０ａ−２０ｃの制御を行う。
【００２４】
＜各部の構成＞
（１）サーモスタット３０ａ−３０ｃの構成
まず、図２および図３を用いて、サーモスタット３０ａ−３０ｃについて説明する。図２は、サーモスタット３０ａ−３０ｃの表示部の一例を示す。サーモスタット３０ａ−３０ｃは、特に米国で、空調機、ガスファーネス、およびファン等のインターフェースとして多く用いられており、サーモスタット３０ａ−３０ｃに接続される機器のオン・オフ制御機能、温度設定機能、冷暖房の設定機能、除湿設定機能、ファンのオン・オフ設定機能等を有する。さらに、サーモスタット３０ａ−３０ｃは、接続される機器のスケジュール制御が可能である。図３は、サーモスタット３０ａ−３０ｃから出力される信号を示す表である。本実施形態では、後述する仲介装置４０ａ−４０ｃが、これらの信号を空調機の読み取り可能な信号に変換して空調機に送信する。
【００２５】
サーモスタット３０ａ−３０ｃは、設定温度の入力部と、室温を検知する温度センサとを有している。サーモスタット３０ａ−３０ｃは、設定温度と温度センサで検知された室温（第１室温値に相当）との関係で、接点をＯＮまたはＯＦＦに変化する。例えば、冷房運転モードで動作している場合、温度センサで検知される室温が設定温度よりも高くなった場合、接点はＯＮに設定され、温度センサで検知される室温が設定温度よりも低くなった場合は、接点はＯＦＦに設定される。反対に、暖房運転モードで動作している場合は、温度センサで検知される室温が設定温度よりも低くなった場合には、接点はＯＮに設定され、温度センサで検知される室温が設定温度よりも高くなった場合は、接点がＯＦＦに設定される。なお、本実施形態で用いるサーモスタット３０ａ−３０ｃは、ディファレンシャル温度の設定が可能であり、接点は、温度センサによって検知される室温が、ディファレンシャル温度を超えた場合に、ＯＦＦからＯＮまたはＯＮからＯＦＦに変化する。
【００２６】
（２）空調機の概略構成
次に、本実施形態の空調システム１に用いられる空調機について説明する。
【００２７】
本実施形態で用いられる空調機は、マルチタイプのヒートポンプ式空調機であり、室外機１０と、室内機２０ａ−２０ｃとが、冷媒路８８および通信線８１により接続されている。室内機２０ａ−２０ｃには、ケーシング内に吸込まれる室内空気の温度である吸込み温度値（第２室温値に相当）を検知する吸込み温度センサ２１ａ−２１ｃが設けられている。以下、室外機１０と、室内機２０ａとからなる空調機について説明するが、その他の室内機２０ｂ，２０ｃについても室内機２０ａと同様の構成であるものとする。
【００２８】
本実施形態に係る空調機は、設定温度値に応じて圧縮機の回転数と室内膨張弁の開度とを段階的に調整することで、室外機１０から室内機２０ａに送られる冷媒を流量調整する。また、室内機２０ａは、サーモＯＦＦおよびサーモＯＮの運転を自動的に繰り返し、室内環境が当該設定温度値の近傍で保たれるように制御される。ここで、サーモＯＦＦとは、冷房運転および暖房運転が停止した状態をいう。詳細には、冷媒を流さない送風のみの運転または冷媒を僅かに流す低負荷の運転が行われている状態をいう。一方、サーモＯＮとは、冷房運転または暖房運転を実施している状態をいう。詳細には、ファンを作動させ、さらに冷媒流量などを調整して、室内温度が設定温度に近づくように運転している状態をいう。冷房運転時に吸込み温度値が設定温度値の０．５℃以下になった場合および暖房運転時に設定温度値の０．５℃以上になった場合、室内機２０ａはサーモＯＮの運転からサーモＯＦＦの運転に切り替わる。一方、冷房運転時に吸込み温度値が設定温度値の０．５℃以上になった場合および暖房運転時に設定温度値の０．５℃以下になった場合、室内機２０ａはサーモＯＦＦの運転からサーモＯＮの運転に切り替わる。
【００２９】
（３）仲介装置４０ａ−４０ｃの構成
次に、仲介装置４０ａ−４０ｃについて説明する。仲介装置４０ａ−４０ｃは、それぞれに接続される一つのサーモスタット３０ａ−３０ｃから入力される各種信号を空調機の読み取り可能な信号に変換し、変換した信号をそれぞれに接続された一つの室内機２０ａ−２０ｃに送信する。また、仲介装置４０ａ−４０ｃは、サーモスタット３０ａ−３０ｃから入力される信号および吸込み温度センサ２１ａ−２１ｃで検知される吸込み温度値等を用いて空調目標温度値を決定し、当該空調目標温度値を設定温度値としてそれぞれに接続された室内機２０ａ−２０ｃに送信する。以下、図４を用いて仲介装置４０ａについて詳細に説明するが、他の仲介装置４０ｂ、４０ｃも同様の構成であるものとする。
【００３０】
仲介装置４０ａは、主として、通信部４１と、記憶部４２と、タイマー部４３と、制御部４４とを備える。通信部４１は、入出力ポートからなり、サーモスタット３０ａおよび室内機２０ａからの各種信号を入力し、空調機に対する制御信号を出力する。
【００３１】
記憶部４２には、後述する空調目標温度値を決定するために用いられる制御プログラムが記憶されている。また、記憶部４２は、吸込み温度値記憶領域４２ａと、空調目標温度値記憶領域４２ｂと、限界値記憶領域４２ｃとを有する。
【００３２】
吸込み温度値記憶領域４２ａには、後述する吸込み温度値取得部４４ｄに取得される吸込み温度値が記憶される。なお、本実施形態では、吸込み温度値記憶領域４２ａには、予め初期値として冷房運転モードの上限値（３５℃）および暖房運転モードの下限値（１５℃）が記憶されている。吸込み温度値記憶領域４２ａに記憶された値（記憶値Ｍ）は、吸込み温度値取得部４４ｄによって新たな吸込み温度値が取得されるたびに、当該新たな吸込み温度値によって上書きされる。
【００３３】
空調目標温度値記憶領域４２ｂには、後述する空調目標温度値決定部４４ｅによって空調目標温度値として決定された値のうち、吸込み温度値を用いて算出された平均値Ａであって、空調機に設定温度値として送信された値が記憶される。空調目標温度値記憶領域４２ｂに記憶された値（記憶値Ｓ）は、平均値Ａが算出され新たな空調目標温度値として決定されるたびに、当該新たな空調目標温度値によって上書きされる。
【００３４】
限界値記憶領域４２ｃには、冷房運転モードおよび暖房運転モードのそれぞれについて、所定の下限値および上限値が記憶されている。ここで、冷房運転モードの下限値および暖房運転モードの上限値とは、空調機を最大負荷で制御する際の温度値であり、冷房運転モードの上限値および暖房運転モードの下限値とは、空調機を最小負荷で制御する際の温度値である。具体的には、冷房運転モードの下限値は１８℃、暖房運転モードの上限値は３０℃であり、さらに、冷房運転モードの上限値は３５℃、暖房運転モードの下限値は１５℃である。
【００３５】
タイマー部４３は、サーモスタット３０ａ−３０ｃの接点が変化した後の時間を計測する。
【００３６】
制御部４４は、ＣＰＵ等により構成されており、主として、検出部４４ａと、運転状況把握部４４ｂと、フラグ切替部４４ｃと、吸込み温度値取得部４４ｄと、空調目標温度値決定部４４ｅと、信号変換部４４ｆと、送信部４４ｇとを有する。
【００３７】
検出部４４ａは、仲介装置４０ａに接続されたサーモスタット３０ａの接点の変化を検出する。本実施形態では、Ｙ１（コンプレッサ）信号がＯＮまたはＯＦＦのいずれに設定された状態であるか、また、ＯＮまたはＯＦＦのいずれに変化したかが検出される。このとき、サーモスタット３０ａから出力されるＯ（冷房）信号およびＢ（暖房）信号に基づき、冷房運転モードおよび暖房運転モードが区別される。具体的には、冷房運転モードではＯ信号がＯＮであり、暖房運転モードではＢ信号がＯＮである。
【００３８】
運転状況把握部４４ｂは、室内機２０ａがサーモＯＮで動作している状況か、サーモＯＦＦで動作している状況かを示す信号（サーモ信号）を取得し、室内機２０ａの運転状況を把握する。
【００３９】
フラグ切替部４４ｃは、変更フラグをＯＮまたはＯＦＦに切り替える。具体的に、フラグ切替部４４ｃは、検出部４４ａによって接点の変化が検出されると、変更フラグをＯＮに切り替え、仲介装置４０ａから空調機に対して下限値での運転の指令または空調停止の指令が送信されると、変更フラグをＯＦＦに切り替える。
【００４０】
吸込み温度値取得部４４ｄは、吸込み温度センサ２１ａで検知された吸込み温度値を室内機２０ａから取得する。また、吸込み温度値取得部４４ｄによって取得された吸込み温度値は、上述の吸込み温度値記憶領域４２ａに上書きされていく。
【００４１】
空調目標温度値決定部４４ｅは、室内機２０ａを動作させるための空調目標温度値を決定する。具体的には、空調目標温度値決定部４４ｅは、Ｙ１信号の変化が検出された際の吸込み温度値と吸込み温度値記憶領域４２ａに記憶された記憶値Ｍとの平均値Ａ（第１の値に相当）を算出し、当該平均値Ａと空調目標温度値記憶領域４２ｂに記憶された記憶値Ｓとを比較し、今回の空調目標温度値を決定する。さらに、所定の場合には、限界値記憶領域４２ｃに記憶された限界値（冷房運転時の下限値または暖房運転時の上限値）を空調目標温度値として決定する。詳細には、下記の＜空調目標温度値の決定方法＞の欄で説明する。
【００４２】
信号変換部４４ｆは、図３に示した、サーモスタット３０ａの出力信号を空調機の読み取り可能な信号に変換する。本実施形態では、信号Ｇ（ファン）は、運転／停止指令に変換され、その他の信号Ｂ（暖房），Ｗ１（ヒーター），Ｏ（冷房），Ｙ１（コンプレッサ），ＤＨＭ（除湿）は、それぞれの信号パターンから運転モード（冷房運転モード／暖房運転モード）が判断され、空調機の読み取り可能な運転モードの信号に変換される。
【００４３】
送信部４４ｇは、上述の通信部４１を介して、信号変換部４４ｆによって変換された信号および室内機２０ａの空調停止命令等を室内機２０ａに送信する。また、送信部４４ｇは、空調目標温度値決定部４４ｅによって決定された空調目標温度値を設定温度値として室内機２０ａに送信する。
【００４４】
＜空調目標温度値の決定方法＞
以下、図５から図１０を参照して、冷房運転時の仲介装置４０ａ−４０ｃにおける空調目標温度値の決定方法を詳細に説明する。なお、以下の説明では、サーモスタット３０ａおよび仲介装置４０ａを用いて、室内機２０ａを制御する際の空調目標温度値の決定方法を説明するが、サーモスタット３０ｂおよび仲介装置４０ｂを用いて室内機２０ｂを制御する場合、およびサーモスタット３０ｃおよび仲介装置４０ｃを用いて室内機２０ｃを制御する場合も同様であるものとする。
【００４５】
（１）処理の流れ
初めに、図５および図６を用いて、仲介装置４０ａの処理の流れについて説明する。
【００４６】
まず、検出部４４ａは、サーモスタット３０ａから出力されるＹ１信号に変化があったかどうかを判断する（ステップＳ１０１）。ステップＳ１０１でＹ１信号の変化が検出されない場合は、Ｙ１信号の変化が検出されるまで待機する。ステップＳ１０１でＹ１信号の変化が検出されると、タイマー部４３は時間の計測を開始する（ステップＳ１０２）。
【００４７】
次に、変更フラグがＯＮか否かが判断される（ステップＳ１０３）。ステップＳ１０３において変更フラグがＯＮであると判断された場合には、ステップＳ１０４に進み、空調目標温度値決定部４４ｅが、吸込み温度値記憶領域４２ａに記憶された記憶値Ｍ（初期値または前回の吸込み温度値Ｔ）と、今回の吸込み温度値Ｔとの平均値Ａを算出する（ステップＳ１０４）。一方、ステップＳ１０３において、変更フラグがＯＦＦであると判断された場合には、フラグ切替部４４ｃが変更フラグをＯＮに切り替え（ステップＳ１０９）、ステップＳ１０８に進む。
【００４８】
ステップＳ１０５では、空調目標温度値記憶領域４２ｂに記憶値Ｓがあるか否かが判断される。ステップＳ１０５で記憶値Ｓがあると判断されると、空調目標温度値決定部４４ｅは、平均値Ａと、記憶値Ｓとの差が０．５℃以内で有るか否かを判断する（ステップＳ１０６）。一方、ステップＳ１０５で空調目標温度値記憶領域４２ｂに記憶値Ｓがないと判断された場合、空調目標温度値決定部４４ｅは、平均値Ａを空調目標温度値として決定し、空調目標温度値記憶領域４２ｂに平均値Ａを記憶し（ステップＳ１０７）、ステップＳ１０８に進む。さらに、ステップＳ１０６で平均値Ａと記憶値Ｓとの差が０．５℃を上回っている場合にも、空調目標温度値決定部４４ｅは、平均値Ａを空調目標温度値として決定し、平均値Ａを空調目標温度値記憶領域４２ｂに記憶し（ステップＳ１０７）、ステップＳ１０８に進む。一方、ステップＳ１０６で、平均値Ａと記憶値Ｓとの差が０．５℃以内である場合には、平均値Ａを空調目標温度値記憶領域４２ｂに記憶せずステップＳ１０８に進む。
【００４９】
ステップＳ１０８では、今回の吸込み温度値取得部４４ｄに取得された吸込み温度値Ｔが吸込み温度値記憶領域４２ａに記憶される。その後、送信部４４ｇが、空調目標温度値記憶領域４２ｂに記憶されている記憶値Ｓを設定温度値として室内機２０ａに送信する（ステップＳ１１０）。ステップＳ１１０において、空調目標温度値記憶領域４２ｂに記憶された空調目標温度値の記憶値Ｓが設定温度値として室内機２０ａに送信されることで、室内機２０ａは当該設定温度値に基づいた空調制御を行う。
【００５０】
その後、検出部４４ａは、Ｙ１信号が変化したか否かを判断する（ステップＳ１１１）。ステップＳ１１１でＹ１信号の変化が検出されると、ステップＳ１０２に戻って、上記のステップが繰り返され、空調目標温度値決定部４４ｅによって改めて決定された空調目標温度値が設定温度値として室内機２０ａに送信される。ステップＳ１１１で、Ｙ１信号の変化が検出されない場合、タイマー部４３で計測される時間が１５分を経過したか否かが判断される（ステップＳ１１２）。ステップＳ１１２で、１５分が経過していないと判断された場合には、ステップＳ１１１に戻る。ステップＳ１１２で、１５分が経過していると判断された場合には、Ｙ１信号の状態と、サーモ信号の状態とが不一致の状態であるか否かが判断される（ステップＳ１１３）。ここで、Ｙ１信号の状態と、サーモ信号の状態とが不一致の状態とは、Ｙ１信号がＯＮでサーモ信号がＯＦＦの場合、あるいはＹ１信号がＯＦＦでサーモ信号がＯＮの場合をいう。ステップＳ１１３で、Ｙ１信号の状態と、サーモ信号の状態とが一致していると判断された場合は、ステップＳ１１１に戻る。ステップＳ１１３で、Ｙ１信号の状態と、サーモ信号の状態とが不一致であると判断された場合には、サーモ信号がＯＦＦか否かが判断される（ステップＳ１１４）。ステップＳ１１４で、サーモ信号がＯＦＦの場合には、空調目標温度値決定部４４ｅによって、限界値記憶領域４２ｃに記憶されている下限値が空調目標温度値として決定され、当該空調目標温度値が設定温度値として室内機２０ａに送信される（ステップＳ１１５）。その後、ステップＳ１１７に進む。ステップＳ１１４においてサーモ信号がＯＮの場合には、室内機２０ａに対する空調停止の指令が送信され（ステップＳ１１６）、その後ステップＳ１１７に進む。ステップＳ１１７では、フラグ切替部４４ｃが変更フラグをＯＦＦに切り替える。ステップＳ１１７でフラグ切替部４４ｃが変更フラグをＯＦＦに切り替えた後は、ステップＳ１０１に戻りＹ１信号が変化するまで待機する。
【００５１】
（２）タイミングチャート
図７から図１０は、冷房運転時に仲介装置４０ａで行われる処理のタイミングチャートである。図７から図１０には、サーモスタット３０ａで検知される室温値（第１室温値に相当）、サーモスタット３０ａの設定温度、Ｙ１信号のＯＮ／ＯＦＦ状態、吸込み温度センサ２１ａで検知される吸込み温度値（第２室温値に相当）、吸込み温度値記憶領域４２ａに記憶された吸込み温度値である記憶値Ｍ、仲介装置４０ａから室内機２０ａに設定温度値として送信される空調目標温度値、最低温度（下限値）、室内機２０ａの発停状態、サーモ信号のＯＮ／ＯＦＦ状態、および変更フラグのＯＮ／ＯＦＦ状態が示されている。
【００５２】
具体的には、図７および図８は、サーモスタット３０ａに設定された温度が一定の場合を示し、図９は、サーモスタット３０ａに設定された温度が上昇した場合を示し、図１０は、サーモスタット３０ａに設定された温度が下降した場合を示す。なお、図７はＹ１信号の変化とサーモ信号の変化とが同期している場合を示し、図８は、Ｙ１信号の変化とサーモ信号の変化とが同期していない場合を示す。例えば、図７では、破線Ａ１でＹ１信号がＯＦＦからＯＮに変化すると、サーモ信号もＯＦＦからＯＮに変化し、１５分経過後に破線Ａ２でＹ１信号がＯＮからＯＦＦに変化すると、その後サーモ信号も自動的にＯＮからＯＦＦに変化する。ここでは、図１１の１−２）に示す制御が行われている。すなわち、先にＹ１信号が変化してから１５分間Ｙ１信号は変化せず、かつ、１５分経過後のＹ１信号とサーモ信号とが一致しているため、不一致になるまで待機する。その後、破線Ａ２でＹ１信号がＯＦＦに変化したため平均値Ａが算出される。一方、図８では、例えば、Ｙ１信号は、破線Ｂ１でＯＦＦからＯＮに変化した後１５分間変化せずＯＮのままであるが、サーモ信号はＯＦＦに変化している（破線Ｂ２参照）。ここでは、図１１の２に示す制御が行われている。すなわち、先にＹ１信号が変化してから１５分間Ｙ１信号に変化がないにもかかわらずサーモ信号は変化しており、１５分経過後のＹ１信号とサーモ信号とが一致していないため、下限値が空調目標温度値として送信される。
【００５３】
図７から図１０が示すように、検出部４４ａによってＹ１信号の変化が検出されるたびにタイマー部４３によって時間の計測が行われる。また、Ｙ１信号の変化が検出された際の変更フラグがＯＮの場合には、吸込み温度値記憶領域４２ａに記憶されている過去の吸込み温度値である記憶値ＭとＹ１信号の変化時に検知された吸込み温度値の平均値Ａが算出され空調目標温度値として決定される。一方、Ｙ１信号の変化が検出された際の変更フラグがＯＦＦの場合には、先に決定された空調目標温度値であって、空調目標温度値記憶領域４２ｂに記憶された記憶値Ｓが空調目標温度値として決定され、その後変更フラグがＯＮに切り替えられる。
【００５４】
また、Ｙ１信号の変化が検出された後１５分間Ｙ１信号に変化がなかった場合、Ｙ１信号の状態とサーモ信号の状態とが比較される。Ｙ１信号の状態とサーモ信号の状態とが一致している場合は、不一致の状態になるまで待機する。その後、Ｙ１信号の変化が検出されずにＹ１信号の状態とサーモ信号の状態とが不一致になった場合には、サーモ信号の状態に応じて下限値を設定温度値とする指令または空調停止の指令が室内機２０ａに対して送信される。変更フラグは、室内機２０ａに対して下限値を設定温度値とする指令または空調停止の指令が送信された後にＯＦＦに切り替えられる。
【００５５】
なお、空調目標温度値決定部４４ｅが平均値Ａを算出した場合、空調目標温度値記憶領域４２ｂに記憶された記憶値Ｓと、新たに算出した平均値Ａとの差が０．５℃以内である場合には、記憶値Ｓが空調目標温度値として決定される。そのため、設定温度値として先に送信された空調目標温度値に基づく運転が空調機で維持される。
【００５６】
＜特徴＞
（１）本実施形態に係る空調システム１において、仲介装置４０ａ−４０ｃはサーモスタット３０ａ−３０ｃから出力される制御信号を空調機の読み取り可能な信号に変換する。また、仲介装置４０ａ−４０ｃは、サーモスタット３０ａ−３０ｃから入力される信号および空調機で検知される吸込み温度値に基づいてサーモスタット３０ａ−３０ｃで設定された温度の近似値である空調目標温度値を決定する。当該空調目標温度値が設定温度値として空調機に送信されるため、サーモスタット３０ａ−３０ｃを用いて運転に設定温度値が必要な空調機を動作させることができる。これにより、インバータ制御を行う空調機を新たに導入する場合であっても、従来から使用する空調インターフェースとしてのサーモスタット３０ａ−３０ｃを新たな空調機のインターフェースとして継続して用いることができる。
【００５７】
また、米国では、地下室等にガスファーネスユニットおよびファンユニットを備える補助ユニットを配置する住宅等もある。ガスファーネスユニットは、主として、ガスの燃焼を行うガスファーネスと、その燃焼量を制御するガスファーネスコントローラとから構成されており、ファンユニットは、主として、シロッコファン等のファンと、ファンコントローラとから構成されている。このガスファーネスユニットおよびファンユニットは、サーモスタット３０ａ−３０ｃを用いて制御され、補助ユニット内の空気を過熱し、室内に送り出すことで、室内の空調制御を行っている。本実施形態に係る仲介装置４０ａ−４０ｃを空調システム１に導入することにより、既存のサーモスタット３０ａ−３０ｃを用いて、インバータ制御を行う最新の空調機とガスファーネスユニットおよびファンユニットとの双方を制御することができる。したがって、ユーザに新たな空調インターフェースの操作方法の習得を強いることなく、従来の空調インターフェースを使用したまま、効率の良い空調制御を行うことができる。
【００５８】
（２）本実施形態に係る仲介装置４０ａ−４０ｃは、タイマー部４３を備えており、検出部４４ａが検出する接点信号の状態と、運転状況把握部４４ｂが取得するサーモ信号の状態と、タイマー部４３で計測する時間とに応じて、図１１に示すように、改めて空調目標温度値を決定するための制御を行う。図１１に示す制御は、図７から図１０において、それぞれ例示されている。このように、サーモスタット３０ａ−３０ｃで検知される室温値および設定温度の関係で接点が変化せず、先に接点の変化が検出された時から１５分間変化が検出されない場合であっても、適宜、適当な方法で空調目標温度値が決定されるため、ユーザの所望する室内環境を継続して提供することができる。
【００５９】
（３）さらに、タイマー部４３で計測する所定時間の間にサーモスタット３０ａ−３０ｃから出力される信号のＹ１信号に変化がない場合、仲介装置４０ａ−４０ｃは、室内機２０ａ−２０ｃからのサーモ信号の状態と、Ｙ１信号の状態とが一致するか否かを判断する。ここで、Ｙ１信号の状態とサーモ信号の状態とが一致している場合は、不一致の状態になるまで待機する。その後、Ｙ１信号の変化が検出されずにＹ１信号の状態とサーモ信号の状態とが不一致になった場合には、サーモ信号の状態に応じて、空調機に対して下限値を設定温度値として送信するか、あるいは空調停止の指令を送信することにより、強制的にサーモ信号の状態とＹ１信号の状態とを一致させる。ここで、仲介装置４０ａ−４０ｃが空調機に対して下限値を設定温度値して送信した後の吸込み温度値は、オーバーシュートの影響を受けやすい。また、仲介装置４０ａ−４０ｃが空調機に対して空調停止の指令を送信した後の吸込み温度値は、ファン停止による影響を受けやすい。したがって、このような状況下で検知された吸込み温度値に基づいて算出された平均値Ａを空調目標温度値として決定することは好ましくない。しかし、本実施形態に係る仲介装置４０ａ−４０ｃは、空調機に対して下限値を設定温度値として送信した後、あるいは空調停止の指令を送信した後には、新たな空調目標温度値を決定しない。したがって、適当な条件下で検知された吸込み温度値に基づいて空調目標温度値を決定することができる。
【００６０】
（４）本実施形態においては、空調目標温度値決定部４４ｅが平均値Ａを算出すると、平均値Ａと空調目標温度値記憶領域４２ｂに記憶された記憶値Ｓとが比較され、その差が０．５℃を越えていた場合に限り、新たに算出された平均値Ａが空調目標温度値として決定され、室内機２０ａ−２０ｃに送信されるように設計されている。したがって、室内機２０ａ−２０ｃにおいて頻繁に空調目標温度値を変更する必要がないため、空調機の処理負荷を抑えることができる。
【００６１】
（５）サーモスタット３０ａ−３０ｃは種類によって出力信号も多様であるが、本実施形態に係る仲介装置４０ａ−４０ｃは、サーモスタット３０ａ−３０ｃから出力される基本的な信号を用いて設定温度値の代替となる空調目標温度値を決定するため、大部分のサーモスタット３０ａ−３０ｃに適用することができる。
【００６２】
≪第２実施形態≫
＜空調システムの全体構成＞
次に、本発明の第２実施形態に係る空調システムの構成について説明する。なお、仲介装置４００ａ−４００ｃの構成を除いては第１実施形態に係る空調システム１の構成と同様であるため、全体構成、サーモスタット３０ａ−３０ｃの構成、及び空調機の概略構成については説明を省略する。
【００６３】
（１）仲介装置４００ａ−４００ｃの構成
仲介装置４００ａ−４００ｃは、それぞれに接続される一つのサーモスタット３０ａ−３０ｃから入力される各種信号を空調機の読み取り可能な信号に変換し、変換した信号をそれぞれに接続された一つの室内機２０ａ−２０ｃに送信する。また、仲介装置４００ａ−４００ｃは、サーモスタット３０ａ−３０ｃから入力される信号および吸込み温度センサ２１ａ−２１ｃで検知する吸込み温度値等を用いて空調目標温度値を決定し、当該空調目標温度値を設定温度値として、それぞれに接続された室内機２０ａ−２０ｃに送信する。以下、図１２を用いて仲介装置４００ａについて詳細に説明するが、他の仲介装置４００ｂ、４００ｃも同様の構成であるものとする。
【００６４】
仲介装置４００ａは、主として、通信部４０１と、記憶部４０２と、タイマー部４０３と、制御部４０４とを備える。なお、通信部４０１、記憶部４０２、およびタイマー部４０３は、第１実施形態に係る通信部４１、記憶部４２、およびタイマー部４３と同じであるため、説明を省略する。
【００６５】
制御部４０４は、ＣＰＵ等により構成されており、主として、検出部４０４ａと、運転状況把握部４０４ｂと、フラグ切替部４０４ｃと、吸込み温度値取得部４０４ｄと、空調目標温度値決定部４０４ｅと、信号変換部４０４ｆと、送信部４０４ｇとを有する。本実施形態に係る検出部４０４ａ、運転状況把握部４０４ｂ、吸込み温度値取得部４０４ｄ、信号変換部４０４ｆ、および送信部４０４ｇは、第１実施形態に係る検出部４４ａ、運転状況把握部４４ｂ、吸込み温度値取得部４４ｄ、信号変換部４４ｆ、および送信部４４ｇと同じであるため説明を省略する。
【００６６】
フラグ切替部４０４ｃは、変更フラグをＯＮまたはＯＦＦに切り替える。具体的に、フラグ切替部４０４ｃは、検出部４０４ａによって接点の変化が検出されると、変更フラグをＯＮに切り替え、仲介装置４００ａから空調機に対して下限値での運転の指令が送信されると、変更フラグをＯＦＦに切り替える。
【００６７】
空調目標温度値決定部４０４ｅは、室内機２０ａを動作させるための空調目標温度値を決定する。具体的には、空調目標温度値決定部４０４ｅは、Ｙ１信号の変化が検出された際の吸込み温度値と吸込み温度値記憶領域４０２ａに記憶された記憶値Ｍとの平均値Ａ（第１の値に相当）を算出し、当該平均値Ａと空調目標温度値記憶領域４０２ｂに記憶された記憶値Ｓとを比較し、今回の空調目標温度値を決定する。さらに、所定の場合には、限界値記憶領域４０２ｃに記憶された限界値（冷房運転時の上限値および下限値、または暖房運転時の上限値および下限値）を空調目標温度値として決定する。詳細には、下記の＜空調目標温度値の決定方法＞の欄で説明する。
【００６８】
＜空調目標温度値の決定方法＞
以下、図１３から図１８を参照して、冷房運転時の仲介装置４００ａ−４００ｃにおける空調目標温度値の決定方法を詳細に説明する。なお、以下の説明では、サーモスタット３０ａおよび仲介装置４００ａを用いて、室内機２０ａを制御する際の空調目標温度値の決定方法を説明するが、サーモスタット３０ｂおよび仲介装置４００ｂを用いて室内機２０ｂを制御する場合、およびサーモスタット３０ｃおよび仲介装置４００ｃを用いて室内機２０ｃを制御する場合も同様であるものとする。
【００６９】
（１）処理の流れ
初めに、図１３および図１４を用いて、仲介装置４００ａの処理の流れについて説明する。
【００７０】
まず、検出部４０４ａは、サーモスタット３０ａから出力されるＹ１信号に変化があったかどうかを判断する（ステップＳ２０１）。ステップＳ２０１で検出部４０４ａがＹ１信号の変化を検出しない場合は、Ｙ１信号の変化が検出されるまで待機する。ステップＳ２０１でＹ１信号の変化を検出すると、タイマー部４０３は時間の計測を開始する（ステップＳ２０２）。
【００７１】
次に、変更フラグがＯＮか否かが判断される（ステップＳ２０３）。ステップＳ２０３において変更フラグがＯＮであると判断された場合には、ステップＳ２０４に進み、空調目標温度値決定部４０４ｅが、吸込み温度値記憶領域４０２ａに記憶されている値である記憶値Ｍ（初期値または前回の吸込み温度値Ｔ）と、今回の吸込み温度値Ｔとの平均値Ａを算出する（ステップＳ２０４）。一方、ステップＳ２０３において、変更フラグがＯＦＦであると判断された場合には、フラグ切替部４４ｃが変更フラグをＯＮに切り替え（ステップＳ２０９）、ステップＳ２０８に進む。
【００７２】
ステップＳ２０５では、空調目標温度値決定部４０４ｅは、空調目標温度値記憶領域４０２ｂに記憶値Ｓがあるか否かを判断する。ステップＳ２０５で記憶値Ｓがあると判断されると、空調目標温度値決定部４０４ｅは、平均値Ａと、記憶値Ｓとの差が０．５℃以内で有るか否かを判断する（ステップＳ２０６）。一方、ステップＳ２０５で空調目標温度値記憶領域４０２ｂに記憶値Ｓがない場合、空調目標温度値決定部４０４ｅは、平均値Ａを空調目標温度値として決定し、空調目標温度値記憶領域４０２ｂに平均値Ａを記憶し（ステップＳ２０７）、ステップＳ２０８に進む。さらに、ステップＳ２０６で平均値Ａと記憶値Ｓとの差が０．５℃を上回っている場合にも、空調目標温度値決定部４０４ｅは、平均値Ａを空調目標温度値として決定し、平均値Ａを空調目標温度値記憶領域４０２ｂに記憶し（ステップＳ２０７）、ステップＳ２０８に進む。一方、ステップＳ２０６で、平均値Ａと記憶値Ｓとの差が０．５℃以内である場合には、平均値Ａを空調目標温度値記憶領域４０２ｂに記憶せずステップＳ２０８に進む。
【００７３】
ステップＳ２０８では、今回の吸込み温度値取得部４０４ｄに取得された吸込み温度値Ｔが吸込み温度値記憶領域４０２ａに記憶される。その後、送信部４０４ｇが、空調目標温度値記憶領域４０２ｂに記憶されている記憶値Ｓを設定温度値として室内機２０ａに送信する（ステップＳ２１０）。ステップＳ２１０において、空調目標温度値記憶領域４０２ｂに記憶された空調目標温度値の記憶値Ｓが設定温度値として室内機２０ａに送信されることで、室内機２０ａは当該設定温度値に基づいた空調制御を行う。
【００７４】
検出部４０４ａは、Ｙ１信号が変化したか否かを判断する（ステップＳ２１１）。ステップＳ２１１でＹ１信号の変化が検出されると、ステップＳ２０２に戻って、上記のステップが繰り返され、空調目標温度値決定部４０４ｅによって改めて決定された空調目標温度値が設定温度値として室内機２０ａに送信される。ステップＳ２１１で、Ｙ１信号の変化が検出されない場合、タイマー部４０３で計測される時間が１５分を経過したか否かが判断される（ステップＳ２１２）。ステップＳ２１２で、１５分が経過していないと判断された場合には、ステップＳ２１１に戻る。ステップＳ２１２で、１５分が経過していると判断された場合には、Ｙ１信号の状態と、サーモ信号の状態とが不一致の状態であるか否かが判断される（ステップＳ２１３）。ここで、Ｙ１信号の状態と、サーモ信号の状態とが不一致の状態とは、Ｙ１信号がＯＮでサーモ信号がＯＦＦの場合、あるいはＹ１信号がＯＦＦでサーモ信号がＯＮの場合をいう。ステップＳ２１３で、Ｙ１信号の状態と、サーモ信号の状態とが一致していると判断された場合は、ステップＳ２１１に戻る。ステップＳ２１３で、Ｙ１信号の状態と、サーモ信号の状態とが不一致であると判断された場合には、サーモ信号がＯＦＦか否かが判断される（ステップＳ２１４）。ステップＳ２１４で、サーモ信号がＯＦＦの場合には、空調目標温度値決定部４０４ｅは、限界値記憶領域４０２ｃに記憶されている下限値を空調目標温度値として決定し、当該空調目標温度値が設定温度値として室内機２０ａに送信される（ステップＳ２１５）。その後、ステップＳ２１７に進む。ステップＳ２１７では、フラグ切替部４０４ｃが変更フラグをＯＦＦに切り替える。ステップＳ２１７でフラグ切替部４０４ｃが変更フラグをＯＦＦに切り替えた後は、ステップＳ２０１に戻りＹ１信号が変化するまで待機する。ステップＳ２１４においてサーモ信号がＯＮの場合には、空調目標温度値決定部４０４ｅは、限界値記憶領域４０２ｃに記憶されている上限値を空調目標温度値として決定し、当該空調目標温度値が設定温度値として室内機２０ａに送信される（ステップＳ２１６）。その後、ステップＳ２０１に戻りＹ１信号が変化するまで待機する。
【００７５】
（２）タイミングチャート
図１５から図１８は、仲介装置４００ａで行われる処理のタイミングチャートである。図１５から図１８には、サーモスタット３０ａで検知される室温値、サーモスタット３０ａの設定温度、Ｙ１信号のＯＮ／ＯＦＦ状態、吸込み温度センサ２１ａで検知される吸込み温度値、吸込み温度値記憶領域４０２ａに記憶された吸込み温度値である記憶値Ｍ、仲介装置４００ａから室内機２０ａに設定温度値として送信される空調目標温度値、最高温度（上限値）、最低温度（下限値）、室内機２０ａの発停状態、サーモ信号のＯＮ／ＯＦＦ状態、および変更フラグのＯＮ／ＯＦＦ状態が示されている。
【００７６】
具体的には、図１５および図１６は、サーモスタット３０ａに設定された温度が一定の場合を示し、図１７は、サーモスタット３０ａに設定された温度が上昇した場合を示し、図１８は、サーモスタット３０ａに設定された温度が下降した場合を示す。なお、図１５はＹ１信号の変化とサーモ信号の変化とが同期している場合を示し、図１６は、Ｙ１信号の変化とサーモ信号の変化とが同期していない場合を示す。例えば、図１５では、破線Ａ１でＹ１信号がＯＦＦからＯＮに変化すると、サーモ信号もＯＦＦからＯＮに変化し、破線Ａ２でＹ１信号がＯＮからＯＦＦに変化すると、その後サーモ信号も自動的にＯＮからＯＦＦに変化する。ここでは、図１９の１−２）に示す制御が行われている。すなわち、先にＹ１信号が変化してから１５分間Ｙ１信号は変化せず、かつ、１５分経過後のＹ１信号とサーモ信号とが一致しているため、Ｙ１信号とサーモ信号とが不一致になるまで待機する。その後、破線Ａ２でＹ１信号がＯＦＦに変化したため平均値Ａが算出される。一方、図１６では、例えば、Ｙ１信号は、破線Ｂ１でＯＦＦからＯＮに変化した後１５分間変化せずＯＮのままであるが、サーモ信号はＯＦＦに変化している（破線Ｂ２参照）。ここでは、図１９の２に示す制御が行われている。すなわち、先にＹ１信号が変化してから１５分間Ｙ１信号は変化していないにもかかわらず、サーモ信号は変化しており、１５分経過後のＹ１信号とサーモ信号とが一致していないため、下限値が空調目標温度値として空調機に送信される。
【００７７】
図１５から図１８が示すように、検出部４０４ａによってＹ１信号の変化が検出されるたびにタイマー部４０３によって時間の計測が行われる。また、Ｙ１信号の変化が検出された際の変更フラグがＯＮの場合には、吸込み温度値記憶領域４０２ａに記憶されている過去の吸込み温度値である記憶値ＭとＹ１信号の変化時に検知された吸込み温度値の平均値Ａが算出され空調目標温度値として決定される。一方、Ｙ１信号の変化が検出された際の変更フラグがＯＦＦの場合には、先に決定された空調目標温度値であって、空調目標温度値記憶領域４０２ｂに記憶された記憶値Ｓが空調目標温度値として決定される。
【００７８】
また、Ｙ１信号の変化が検出された後１５分間Ｙ１信号に変化がなかった場合、Ｙ１信号の状態とサーモ信号の状態とが比較される。Ｙ１信号の状態とサーモ信号の状態とが一致している場合は、不一致の状態になるまで待機する。その後、Ｙ１信号の変化が検出されずにＹ１信号の状態とサーモ信号の状態とが不一致になった場合には、サーモ信号の状態に応じて下限値を設定温度値とする指令または上限値を設定温度値とする指令のいずれかが室内機２０ａに対して送信される。変更フラグは、室内機２０ａに対して下限値を設定温度値とする指令が送信された後にＯＦＦに切り替えられる。
【００７９】
なお、空調目標温度値決定部４０４ｅが平均値Ａを算出した場合、空調目標温度値記憶領域４０２ｂに記憶された記憶値Ｓと、新たに算出した平均値Ａとの差が０．５℃以内である場合には、記憶値Ｓが空調目標温度値として決定される。そのため、設定温度値として先に送信された空調目標温度値に基づく運転が空調機で維持される。
【００８０】
＜特徴＞
（１）本実施形態に係る仲介装置４００ａ−４００ｃは、第１実施形態に係る仲介装置４０ａ−４０ｃが空調停止の指令を送信する代わりに上限値を設定温度値とする指令を送信する。これにより、室内機２０ａ−２０ｃのファンは継続して回転するため、吸込み温度センサ２１ａ−２１ｃ周辺の空気のよどみを解消することができ、吸込み温度センサ２１ａ−２１ｃで適当な室温値を検知することができる。すなわち、適当な室内環境下で検知された吸込み温度値に基づいた空調目標温度値を決定することができる。
【００８１】
（２）本実施形態に係る仲介装置４００ａ−４００ｃは、第１実施形態に係る仲介装置４０ａ−４０ｃと同様、タイマー部４０３を備えており、検出部４０４ａが検出する接点信号の状態と、運転状況把握部４０４ｂが取得するサーモ信号の状態と、タイマー部４０３で計測する時間とに応じて、図１９に示すように、改めて空調目標温度値を決定するための制御を行う。図１９に示す制御は、図１５から図１８において、それぞれ例示されている。このように、サーモスタット３０ａ−３０ｃで検知される室温値および設定温度の関係で接点が変化せず、先に接点の変化が検出された時から１５分間変化が検出されない場合であっても、適宜、適当な方法で空調目標温度値が決定されるため、ユーザの所望する室内環境を継続して提供することができる。
【００８２】
＜変形例＞
（１）第１および第２実施形態において、空調機としてマルチタイプのヒートポンプ式空調機を用いたが、シングルタイプのヒートポンプ式空調機を用いても構わない。また、ヒートポンプ式空調機に限らず、インバータ制御される空調機であれば、その他の空調機にも適用できる。
【００８３】
（２）第１および第２実施形態では冷房運転を例に挙げて説明したが、暖房運転においても同様に適用できる。なお、暖房運転モードでは、冷房運転モードで用いた下限値の代わりに暖房運転モードの上限値を用い、冷房運転モードで用いた上限値の代わりに暖房運転モードの下限値を用いる。上述したように、冷房運転モードおよび暖房運転モードの区別は、Ｏ信号およびＢ信号のいずれがＯＮになっているかで判断される。
【００８４】
また、設定を変更することにより、暖房運転モードで用いる信号を、サーモスタット３０ａ−３０ｃのコンプレッサ信号（Ｙ１）の代わりに、ヒーターの制御信号（Ｗ１）にすることもできる。すなわち、冷房運転モードではＹ１信号が用いられ、暖房運転モードではＷ１信号が用いられる。
【００８５】
さらに、図３に示すような、他の出力信号を用いて空調目標温度値を決定しても構わない。
【００８６】
（３）第１および第２実施形態において、室内機２０ａ―２０ｃのそれぞれが、個別のリモコンを備えていてもよい。室内機２０ａ―２０ｃにリモコンが設定された場合は、室内機２０ａ―２０ｃの制御がサーモスタット３０ａ−３０ｃからの出力信号に基づく空調目標温度値および個別のリモコンで入力された設定温度値のいずれか一方を選択できるようにしてもよい。これにより、快適な空調環境の実現を柔軟に行うことができる。
【００８７】
（４）第１および第２実施形態に記載の方法を用いて決定した空調目標温度値を補正し、補正後の値に基づいて空調機が動作するように設計しても構わない。
【００８８】
（５）第１および第２実施形態において、ステップＳ１０５またはステップＳ２０５で空調目標温度値記憶領域４２ｂ，４０２ｂに記憶されている値（記憶値Ｓ）があるか否かを判断しているが、予め初期値（例えば、０）を与えておき、記憶値Ｓが初期値（例えば、０）に等しいかどうかを判定してもよい。
【００８９】
（６）第１および第２実施形態では、仲介装置４０ａ−４０ｃ，４００ａ−４００ｃにおいて、摂氏（℃）を用いて空調目標温度値の決定等を行っているが、摂氏に代えて華氏（°Ｆ）を用いても構わない。
【００９０】
（７）第１および第２実施形態に係る空調システム１では、仲介装置４０ａ−４０ｃ，４００ａ―４００ｃは、室内機２０ａ―２０ｃが検知する吸込み温度値を用いて空調目標温度値を決定したが、仲介装置４０ａ−４０ｃ，４００ａ―４００ｃは、吸込み温度値の代わりに、室内機２０ａ―２０ｃが把握する他の温度センサで得られた値を用いて空調目標温度値を決定することもできる。例えば、室内機２０ａ―２０ｃの吹出し温度センサや、室内機２０ａ―２０ｃのそれぞれに接続されたリモコンの温度センサ、室内機２０ａ―２０ｃの本体からそれぞれ延長して設けた温度センサであるリモートセンサ等によって得られた値を用いることによっても空調目標温度を決定することができる。
【００９１】
（８）第１および第２実施形態では、複数のサーモスタット３０ａ−３０ｃおよび複数の仲介装置４０ａ−４０ｃ，４００ａ―４００ｃが室内機２０ａ―２０ｃと一対一で接続され、仲介装置４０ａ−４０ｃ，４００ａ―４００ｃで変換されたサーモスタット３０ａ−３０ｃからの制御信号が、それぞれに接続される一台の室内機２０ａ―２０ｃに送信されることにより個別空調を行っているが、図２０に示すように、サーモスタット３０および仲介装置４０が、物件内にそれぞれ一台設置され、サーモスタット３０からの制御信号が仲介装置４０で変換され、変換された制御信号が室内機２０ａ―２０ｃに送信されてもよい。この場合には、サーモスタット３０を用いて複数の室内機２０ａ―２０ｃの集中制御を行うことができる。さらに、物件内にサーモスタット３０および仲介装置４０がそれぞれ一台設けられる空調システムにおいて、図２１に示すように、サーモスタット３０からの制御信号が仲介装置４０で変換され、変換された制御信号が室外機１０に送信されてもよい。この場合にも、サーモスタット３０を用いて複数の室内機２０ａ―２０ｃの集中制御を行うことができる。なお、１台のサーモスタット３０で複数台の室内機２０ａ−２０ｃを制御する場合は、代表機として設定した室内機のサーモ信号を、室内機２０ａ−２０ｃのサーモ信号として取得する。
【００９２】
（９）第２実施形態に係る仲介装置４００ａ−４００ｃでは、仲介装置４００ａ―４００ｃから空調機に対して下限値での運転の指令が送信された場合に変更フラグがＯＦＦに切り替えられたが（ステップＳ２１７）、ステップＳ２１６で上限値での運転の指令が送信された場合にもステップＳ２１７に進み、変更フラグがＯＦＦに切り替えられるように設計されてもよい。
【００９３】
（１０）第１および第２実施形態では、フローのステップＳ１１３またはステップＳ２１３において、Ｙ１信号の状態とサーモ信号の状態とが不一致の状態か否かが判断され、一致する場合にはステップＳ１１１またはステップＳ２１１に戻って不一致になるまで待機し、不一致の場合にはステップＳ１１４またはステップＳ２１４に進みサーモＯＦＦか否かが判断される。ここで、ステップＳ１１４またはステップＳ２１４の前にＹ１信号が変化したか否かを判断するステップを新たに追加し、Ｙ１信号の状態とサーモ信号の状態とが不一致の場合にはステップＳ１１４またはステップＳ２１４に進む代わりに、新たに追加したステップでＹ１信号が変化したか否かを判断し、Ｙ１信号が変化して無い場合はステップＳ１１４またはステップＳ２１４に進んでもよい。ステップＳ１１３またはステップＳ２１３で不一致でない場合は、ステップＳ１１１またはステップＳ２１１に戻る。なお、新たに追加したステップにおいてＹ１信号が変化した場合には、ステップＳ１０２またはステップＳ２０２に戻る。
【００９４】
〈他の実施形態〉
以上、本発明の実施形態について図面に基づいて説明したが、具体的な構成は、これらの実施形態に限られるものではなく、発明の要旨を逸脱しない範囲で変更可能である。
【産業上の利用可能性】
【００９５】
本発明は、快適な空調環境の実現を効率よく行うため、既存の汎用のサーモスタットを用いて新たに導入したインバータ制御の空調機を利用可能とする環境を提供するという効果を有し、空調制御の仲介装置、空調制御システム、空調制御方法および空調制御プログラムとして有用である。
【図面の簡単な説明】
【００９６】
【図１】第１実施形態に係る空調制御システムの概観図である。
【図２】第１および第２実施形態に係るサーモスタットの例である。
【図３】第１および第２実施形態に係るサーモスタットから出力される制御信号を示す図である。
【図４】第１実施形態に係る仲介装置の概略構成図である。
【図５】第１実施形態に係る仲介装置の空調目標温度値の決定方法を示す図である。
【図６】第１実施形態に係る仲介装置の空調目標温度値の決定方法を示す図である。
【図７】第１実施形態に係る仲介装置で行われる処理のタイミングチャートである。
【図８】第１実施形態に係る仲介装置で行われる処理のタイミングチャートである。
【図９】第１実施形態に係る仲介装置で行われる処理のタイミングチャートである。
【図１０】第１実施形態に係る仲介装置で行われる処理のタイミングチャートである。
【図１１】サーモスタットから出力された信号に１５分間変化がない場合に第１実施形態に係る仲介装置で行われる制御をまとめた表である。
【図１２】第２実施形態に係る仲介装置の概略構成図である。
【図１３】第２実施形態に係る仲介装置の空調目標温度値の決定方法を示す図である。
【図１４】第２実施形態に係る仲介装置の空調目標温度値の決定方法を示す図である。
【図１５】第２実施形態に係る仲介装置で行われる処理のタイミングチャートである。
【図１６】第２実施形態に係る仲介装置で行われる処理のタイミングチャートである。
【図１７】第２実施形態に係る仲介装置で行われる処理のタイミングチャートである。
【図１８】第２実施形態に係る仲介装置で行われる処理のタイミングチャートである。
【図１９】サーモスタットから出力された信号に１５分間変化がない場合に第２実施形態に係る仲介装置で行われる制御をまとめた表である。
【図２０】第１および第２実施形態の変形例（８）に係る空調制御システムの外観図である。
【図２１】第１および第２実施形態の変形例（８）に係る空調制御システムの外観図である。
【符号の説明】
【００９７】
１      空調制御システム
１０    室外機
２０ａ−２０ｃ    室内機
３０    サーモスタット（空調インターフェース）
４０ａ−４０ｃ，４００ａ−４００ｃ    仲介装置
８１，８２    通信線
８８    冷媒路
【図１】
0005332236.tif 000002
【図２】
0005332236.tif 000003
【図３】
0005332236.tif 000004
【図４】
0005332236.tif 000005
【図５】
0005332236.tif 000006
【図６】
0005332236.tif 000007
【図７】
0005332236.tif 000008
【図８】
0005332236.tif 000009
【図９】
0005332236.tif 000010
【図１０】
0005332236.tif 000011
【図１１】
0005332236.tif 000012
【図１２】
0005332236.tif 000013
【図１３】
0005332236.tif 000014
【図１４】
0005332236.tif 000015
【図１５】
0005332236.tif 000016
【図１６】
0005332236.tif 000017
【図１７】
0005332236.tif 000018
【図１８】
0005332236.tif 000019
【図１９】
0005332236.tif 000020
【図２０】
0005332236.tif 000021
【図２１】
0005332236.tif 000022